(57)【要約】【課題】  警告音の音色を変更できる車両用計器を提供する。【解決手段】  本開示の車両用計器（Ｍ）は、車両情報を表示するディスプレイ（１）と、音を発生する音発生素子（２）と、音発生素子（２）に所定の音色の音を吹鳴させる波を出力する音色生成回路（４１）と、車両情報をディスプレイ（１）に表示させ、ディスプレイ（１）に表示させる前記車両情報に対応する表示音を吹鳴させる波を前記音色生成回路（４１）に出力させるコントローラ（４０）と、を備える。音色生成回路（４１）は、通過波長が異なる複数のフィルタ回路（４１１Ａ，４１１Ｂ，４１１Ｃ）を含む。音色生成回路（４１）は、前記複数のフィルタ回路（４１１Ａ，４１１Ｂ，４１１Ｃ）のうちコントローラ（４０）に選択されたフィルタを通過した波（Ｓ３）を前記音発生素子（２）に出力する。【選択図】  図２
2020132107.tif 000002
【特許請求の範囲】
【請求項１】
車両情報を表示するディスプレイ（１）と、
音を発生する音発生素子（２）と、
前記音発生素子（２）に所定の音色の音を吹鳴させる波（Ｓ３）を出力する音色生成回路（４１）と、
前記車両情報を前記ディスプレイ（１）に表示させ、前記ディスプレイ（１）に表示させる前記車両情報に対応する表示音を吹鳴させる波を前記音色生成回路（４１）に出力させるコントローラ（４０）と、を備えた車両用計器（Ｍ）であって、
前記音色生成回路（４１）は、通過波長が異なる複数のフィルタ回路（４１１Ａ，４１１Ｂ，４１１Ｃ）を含み、
前記音色生成回路（４１）は、前記複数のフィルタ回路（４１１Ａ，４１１Ｂ，４１１Ｃ）のうち前記コントローラ（４０）に選択されたフィルタを通過した波（Ｓ３）を前記音発生素子（２）に出力する、車両用計器（Ｍ）。
【請求項２】
操作入力部（３）を備え、
前記コントローラ（４０）は、前記複数のフィルタ回路（４１１Ａ，４１１Ｂ，４１１Ｃ）に対応する選択肢を前記ディスプレイ（１）に表示させ、前記操作入力部（３）の入力によって選択された前記選択肢によって前記複数のフィルタ回路（４１１Ａ，４１１Ｂ，４１１Ｃ）のうちいずれかを選択する、
請求項１の車両用計器（Ｍ）。
【請求項３】
前記車両情報は、車両の警告情報である、
請求項１または請求項２の車両用計器（Ｍ）。
【発明の詳細な説明】
【技術分野】
【０００１】
本開示は警告を聴覚的信号で知らせる車両用計器に関する。
【背景技術】
【０００２】
従来の車両用計器として特許文献１に開示されたものがある。この車両用計器は、フィルタ回路によって特定の音色の警告音を吹鳴するものである。
【先行技術文献】
【特許文献】
【０００３】
【特許文献１】特開２００７−１１２３４７号公報
【発明の概要】
【発明が解決しようとする課題】
【０００４】
しかしながら、任意の警告音に合わせてそれぞれのフィルタ回路を設ける構成であるため、警告音の音色を変更することができない。
【０００５】
そこで、本開示の車両用計器は、警告音の音色を変更できる車両用計器を提供することを目的とする。
【課題を解決するための手段】
【０００６】
本開示の車両用計器（Ｍ）は、
車両情報を表示するディスプレイ（１）と、
音を発生する音発生素子（２）と、
前記音発生素子（２）に所定の音色の音を吹鳴させる波（Ｓ３）を出力する音色生成回路（４１）と、
前記車両情報を前記ディスプレイ（１）に表示させ、前記ディスプレイ（１）に表示させる前記車両情報に対応する表示音を吹鳴させる波を前記音色生成回路（４１）に出力させるコントローラ（４０）と、を備えた車両用計器（Ｍ）であって、
前記音色生成回路（４１）は、通過波長が異なる複数のフィルタ回路（４１１Ａ，４１１Ｂ，４１１Ｃ）を含み、
前記音色生成回路（４１）は、前記複数のフィルタ回路（４１１Ａ，４１１Ｂ，４１１Ｃ）のうち前記コントローラ（４０）に選択されたフィルタを通過した波（Ｓ３）を前記音発生素子（２）に出力する。
【発明の効果】
【０００７】
本開示によれば、警告音の音色を変更できる車両用計器を提供できる。
【図面の簡単な説明】
【０００８】
【図１】車両用計器の構成概略図。
【図２】制御部の構成概略図。
【図３】音色選択部の構成概略図。
【図４】音色選択表示の一例を示す図。
【発明を実施するための形態】
【０００９】
添付図面（図１〜図４）を参照して、本開示の車両用計器Ｍを説明する。
【００１０】
車両用計器Ｍは、車両内部のインストルメントパネル内に収容される計器である。図１に示すように、車両用計器Ｍは、ディスプレイ１、音発生素子２、操作入力部３、制御回路４、を含む。
【００１１】
ディスプレイ１は、例えば液晶ディスプレイや有機ＥＬディスプレイなどの画像表示器である。
【００１２】
音発生素子２は、例えば印可された電圧の変化により振動を発生させるピエゾ素子である。
【００１３】
操作入力部３は、例えば操作スイッチなどである。
【００１４】
制御回路４は、ディスプレイ１、音発生素子２、操作入力部３、センサ５、車載コントローラ６と電気的に接続している。制御回路４は、センサ５や車載コントローラ６から車両情報を取得する。制御回路４は、ディスプレイ１に車両情報を表示させる。制御回路４は、音発生素子２を制御して、ディスプレイ１に表示された車両情報に対応する音を発生させる。制御回路４は、操作入力部３から入力された操作信号に応じて車両情報に対応する音の音色を変更する。
【００１５】
センサ５は、車両の駆動輪の回転数を検出する車速センサ、残燃料量を検出する燃料センサ、車両のギアポジションを検出するギアセンサ、などの種々のセンサである。
【００１６】
車載コントローラ６は、車両のエンジンを制御するエンジンコントローラ、車両のアンチロックブレーキングシステムを制御するＡＢＳコントローラ、などの種々のコントローラである。制御回路４と車載コントローラ６はＣＡＮ（コントローラ エリア ネットワーク）やＬＩＮ（ローカル インターコネクト ネットワーク）などの車載ネットワークを介して相互に通信する。
【００１７】
図２、図３を参照して制御回路４を詳述する。制御回路４は、コントローラ４０、音色生成回路４１，４２，４３、増幅回路４４を含む。
【００１８】
コントローラ４０は、例えば、ＣＰＵ、ＲＡＭ、ＲＯＭを含むマイクロコントローラである。コントローラ４０は、音色生成回路４１に対し、第１波信号Ｓ１、選択信号Ｓ２を出力する。第１波信号Ｓ１は、パルス幅変調方式の矩形波である。
【００１９】
コントローラ４０は、警告表示１１，１２，１３がディスプレイ１に表示されたときに、警告表示１１，１２，１３に対応する音色を音発生素子２に吹鳴させる第２波信号Ｓ３を音色生成回路４１，４２，４３に出力させる。
【００２０】
警告表示１１は、シートベルト警告を表す表示である。コントローラ４０は、シートベルト警告を表示する条件を満たす車両情報が入力されると、ディスプレイ１に警告表示１１を表示させ、警告表示１１に対応するシートベルト警告音（表示音）を音発生素子２に吹鳴させる第２波信号Ｓ３を音色生成回路４１に出力させる。
【００２１】
警告表示１２は、方向指示警告を表す表示である。コントローラ４０は、方向指示警告を表示する条件を満たす車両情報が入力されると、ディスプレイ１に警告表示１２を表示させ、警告表示１２に対応する方向指示警告音（表示音）を音発生素子２に吹鳴させる第２波信号Ｓ３を音色生成回路４２に出力させる。
【００２２】
警告表示１３は、バッテリ警告を表す表示である。コントローラ４０は、バッテリ警告を表示する条件を満たす車両情報が入力されると、ディスプレイ１に警告表示１３を表示させ、警告表示１３に対応するバッテリ警告音（表示音）を音発生素子２に吹鳴させる第２波信号Ｓ３を音色生成回路４３に出力させる。
【００２３】
音色生成回路４１は、図３に示すように、選択回路４１０、第１フィルタ回路（第１音色回路）４１１Ａ、第２フィルタ回路（第２音色回路）４１１Ｂ、第３フィルタ回路（第３音色回路）４１１Ｃを含む。
【００２４】
選択回路４１０は、選択信号Ｓ２の入力に応じて第１フィルタ回路４１１Ａ、第２フィルタ回路４１１Ｂ、第３フィルタ回路４１１Ｃのいずれかのみに第１波信号Ｓ１が入力されるようにする択一選択回路である。選択回路４１０は、例えば、スイッチ回路、デマルチプレクサ回路などである。
【００２５】
第１フィルタ回路４１１Ａ、第２フィルタ回路４１１Ｂ、第３フィルタ回路４１１Ｃは、入力された第１波信号Ｓ１の特定の周波数以下の波のみを通過させて第２波信号Ｓ２を出力するローパスフィルタ回路である。第２波信号Ｓ２は、後述する増幅回路４４によって増幅された後に音発生素子２に入力されて、音発生素子２を振動させて所定の音を吹鳴させる。第１フィルタ回路４１１Ａ、第２フィルタ回路４１１Ｂ、第３フィルタ回路４１１Ｃが通過させる周波数はそれぞれ異なり、異なる第２波信号Ｓ３が出力される。
【００２６】
以上のように、コントローラ４０から出力される選択信号Ｓ２によって、第１フィルタ回路４１１Ａ、第２フィルタ回路４１１Ｂ、第３フィルタ回路４１１Ｃのいずれかが選択される。そして、コントローラ４０から第１波信号Ｓ１が音色生成回路４１に出力されると、選択信号Ｓ２によって選択されたフィルタに対応する音色の第２波信号Ｓ３を音色生成回路４１が出力する。つまり、コントローラ４０の選択信号Ｓ２によって異なる音色でシートベルト警告音を吹鳴できる。
【００２７】
音色生成回路４２，４３の構成は、音色生成回路４１と同様であるため、説明を省略する。端的に述べると、コントローラ４０の選択信号Ｓ２によって異なる音色で方向指示警告音やバッテリ警告音を吹鳴できる。
【００２８】
尚、コントローラ４０は警告音の音色を車両の搭乗者（車両用計器Ｍの使用者）に選択させるようにすることが好ましい。具体的には、図４に示すように、シートベルト警告音の音色の選択肢Ｃ１，Ｃ２，Ｃ３をディスプレイ１に表示させ、操作入力部３によって選択肢Ｃ１，Ｃ２，Ｃ３のいずれかを選択させることによって、シートベルト警告音の音色を選択させるようにすることが好ましい。そして、この選択結果をコントローラ４０のＲＯＭに記憶するように構成することが好ましい。選択肢Ｃ１が選択された場合は第１フィルタ回路４１１Ａが選択され、選択肢Ｃ２が選択された場合は第２フィルタ回路４１１Ｂが選択され、選択肢Ｃ３が選択された場合は第３フィルタ回路４１１Ｃが選択される。
【００２９】
本開示の車両用計器Ｍは、以下の変形例としてもよい。
【００３０】
ディスプレイ１は、視覚的表示するものであれば他のディスプレイでもよい。具体的には、ディスプレイ１は、文字板に形成された指標を指針で指し示す指示表示器であってもよい。
【００３１】
音発生素子２は、電圧の変化により振動を発生するものであればピエゾ素子の他の素子でもよい。具体的には、音発生素子２は、コンデンサ型スピーカ、マグネティック型スピーカ、などの種々のスピーカであってもよい。
【００３２】
第１フィルタ回路４１１Ａ、第２フィルタ回路４１１Ｂ、第３フィルタ回路４１１Ｃは、所定の周波数を選択して通過させるフィルタ回路であれば他のフィルタ回路でもよい。具体的には、所定の周波数以上の波を通過するハイパスフィルタ回路や、所定の周波数帯域の波を通過するバンドパスフィルタ回路であってもよい。
【符号の説明】
【００３３】
Ｍ      …車両用計器
１      …ディスプレイ
２      …音発生素子
３      …操作入力部
４      …制御回路
４０    …コントローラ
４１    …音色生成回路
４１１Ａ…第１フィルタ回路（第１音色回路）
４１１Ｂ…第２フィルタ回路（第２音色回路）
４１１Ｃ…第３フィルタ回路（第３音色回路）
Ｓ１    …第１波信号
Ｓ２    …選択信号
Ｓ３    …第２波信号（所定の音色を吹鳴させる波）
【図１】
2020132107.tif 000003
【図２】
2020132107.tif 000004
【図３】
2020132107.tif 000005
【図４】
2020132107.tif 000006